(57)【要約】【課題】  オフセット印刷などによるウエット印刷において、連続階調画像を印刷する場合でも高精細で滑らかな印刷を実現する。【解決手段】  画像データを多色分解して製版用データを作成する多色分解装置２０であって、画像データを明度成分と色相成分に分離して、明度成分の特色製版用データを作成し、この特色製版用データと色相成分を記憶手段に記憶させる明度成分分離手段２１ａと、色相成分及び特色製版用データを記憶する記憶手段２２と、記憶手段から色相成分を読み出して色相分解し、色相成分の特色製版用データを作成して記憶手段に記憶させる色相分解手段２１ｂとを備えた多色分解装置とする。【選択図】  図２
2006108896.tif 000002
【特許請求の範囲】
【請求項１】
画像データを多色分解して製版用データを作成する多色分解装置であって、
前記画像データを明度成分と色相成分に分離して、前記明度成分の特色製版用データを作成し、この特色製版用データと前記色相成分を記憶手段に記憶させる明度成分分離手段と、
前記色相成分及び特色製版用データを記憶する前記記憶手段と、
前記記憶手段から前記色相成分を読み出して色相分解し、前記色相成分の特色製版用データを作成して前記記憶手段に記憶させる色相分解手段と、を備えた
ことを特徴とする多色分解装置。
【請求項２】
前記明度成分分離手段が、
前記画像データにおけるブラック成分を他の色成分にそれぞれ合成して、前記他の色成分毎に明度保有色成分を作成し、この明度保有色成分を前記記憶手段に記憶させるブラック成分合成手段と、
全ての前記明度保有色成分からグレー成分を抽出してグレー版を作成し、このグレー版を前記明度成分の特色製版用データとして前記記憶手段に記憶させるグレー版作成手段と、
前記各明度保有色成分から前記グレー版のグレー成分を削除して、それぞれに対応する明度非保有色成分を作成し、これらの明度非保有色成分を前記色相成分として前記記憶手段に記憶させるグレー成分除去手段と、を備えた
ことを特徴とする請求項１記載の多色分解装置。
【請求項３】
前記色相分解手段が、
前記各色相成分を乗算，加算，及び／又は反転することにより、特色成分を抽出し、この特色成分を前記特色製版用データとして前記記憶手段に記憶させる特色成分抽出手段を備えた
ことを特徴とする請求項１又は２記載の多色分解装置。
【請求項４】
前記色相分解手段が、前記色相成分を６色の特色に分解して、前記特色製版用データを作成する
ことを特徴とする請求項１〜３のいずれかに記載の多色分解装置。
【請求項５】
多色分解装置に、画像データを多色分解させて製版用データを作成させる多色分解方法であって、
前記多色分解装置に備えられた明度成分分離部が、前記画像データを明度成分と色相成分に分離して、前記明度成分の特色製版用データを作成し、この特色製版用データと前記色相成分を記憶手段に記憶させ、
前記多色分解装置に備えられた色相分解手段が、前記記憶手段から前記色相成分を読み出して色相分解し、前記色相成分の特色製版用データを作成して前記記憶手段に記憶させる
ことを特徴とする多色分解方法。
【請求項６】
多色分解装置に、画像データを多色分解させて製版用データを作成させる多色分解プログラムであって、
前記多色分解装置を、
前記画像データを明度成分と色相成分に分離して、前記明度成分の特色製版用データを作成し、この特色製版用データと前記色相成分を記憶手段に記憶させる明度成分分離手段、
前記色相成分及び特色製版用データを記憶する前記記憶手段、
前記記憶手段から前記色相成分を読み出して色相分解し、前記色相成分の特色製版用データを作成して前記記憶手段に記憶させる色相分解手段
として機能させるための多色分解プログラム。
【請求項７】
画像データを多色分解して印刷用版を作成する多色分解製版システムであって、
前記画像データを明度成分と色相成分に分離して、前記明度成分の特色製版用データを作成し、この特色製版用データと前記色相成分を記憶手段に記憶させる明度成分分離手段，前記色相成分及び特色製版用データを記憶する前記記憶手段，前記記憶手段から前記色相成分を読み出して色相分解し、前記色相成分の特色製版用データを作成して前記記憶手段に記憶させる色相分解手段を備えた多色分解装置と、
前記多色分解装置から前記明度成分の特色製版用データと前記色相成分の特色製版用データを入力して、印刷用版を作成する製版装置と、を備えた
ことを特徴とする多色分解製版システム。
【発明の詳細な説明】
【技術分野】
【０００１】
本発明は、多色分解印刷に関し、特に画像データを明度成分と色相成分に分離して、色相成分を色相環における特色の多色に分解し、特色製版用データを作成することにより、連続階調画像の印刷においても高精細で滑らかな印刷を可能とする多色分解装置、多色分解方法、多色分解プログラム、及び多色分解製版システムに関する。
【背景技術】
【０００２】
従来、２ピース缶などの容器印刷においては、一般にインキを直接容器に転写するのではなく、印刷用版から一旦ブランケットと呼ばれる転写媒体にインキを転写し、印刷する画像をブランケット上で完成させた後に、容器に転移させるオフセット印刷方式が採用されている。
このような印刷方式においては、紙などの印刷に見られる、色毎に独立したブランケットを用いて、１色ずつ転写する方式とは異なり、一つのブランケット上に複数の色を非乾燥状態のまま転写する必要があり、複数の色が混ざりあう部分が存在する場合には、適切な印刷結果が得られないことがあった。
【０００３】
すなわち、複数の色の重ね刷りによってインキ混じりを生じることがあるため、例えば写真や絵画などの連続階調画像の印刷においては、色の混濁が生じて、実用可能な印刷レベルにならないという問題があった。
このため、一般にこのような方式は、写真などの印刷には不向きとされ、異なる色が連続的に重ね合わされるような表現が含まれていないイラスト等の印刷に用いられることが多かった。
【０００４】
また、この方式によって、連続階調画像の印刷を行う場合は、色の混濁などのない印刷結果を得るために、画像を特色にて印刷するエリアごとにマスクカットを行い、エリアごとに特色印刷が行われていた。
しかし、マスクカットによる特色印刷方式では、印刷すべき画像のどのエリアをどのような特色で印刷するかを人が判断する必要があるが、その判断には熟練を要し、経験豊富な画像処理作業者でなければ、十分な品質の印刷を行うことができなかった。
さらに、熟練者によって、このようなマスクカットによる特色印刷を行った場合であっても、画像の分解がエリアごとに行われるものであるため、その境界部分は滑らかには成りにくく、自然で滑らかな写真の再現は困難であり、イラストチックなものにならざるを得なかった。
【０００５】
また、近年、印刷方式の改良が進み、２ピース缶などの容器印刷の分野において、従来の樹脂凸版印刷（ドライオフセット印刷）に代わり、水なし平板印刷が採用されてきている。この水なし平板印刷は、従来の平板印刷で使用されていた有機溶媒などの湿し水に替えて、シリコンゴムを使用して印刷を行うものであり、水を使用しないことでにじみがなく、より高精細な印刷表現が可能となっている。
しかし、この水なし平板印刷方式においても、連続階調画像の印刷についての問題は、樹脂凸版印刷の場合と同様であるため、自然で滑らかな写真の再現は困難であり、高精細に印刷可能なその性能を十分に発揮することができないという問題があった。
【０００６】
このため、連続階調画像についても、自然で滑らかな印刷を行うことを可能とするような多色分解印刷の実現が望まれているのが現状である。
ここで、多色分解印刷に関する先行技術として、特許文献１に記載の近似７色分解方法を挙げることができる。
この方法は、画像をプロセス４色（シアン系，マゼンダ系，イエロー系，墨系）に色分解するとともに、分解した色のうち墨系を除くもの全てを組み合わせた色を３次色、いずれか２色を組み合わせた色を２次色、分解したそれぞれの色を１次色として、１画素を１次色のうち１色、２次色のうち１色、３次色１色の最多でも合計３色で構成する方法である。
この方法によれば、重ね刷りされるインキの転移量が少なくなり、重なるインキの色系もそれぞれが近い距離に存在するようになることから、表現する色の濁りが少なく、忠実な印刷が行えるものとされている。
【０００７】
【特許文献１】特開２００１−６９３６１号公報
【発明の開示】
【発明が解決しようとする課題】
【０００８】
しかしながら、このような従来の多色分解印刷方法では、プロセス分解により製版を行うものであるため、各版の色が固定され、色再現可能範囲が制限されてしまうという問題があった。また、色の混濁は、墨系を除いた色の合計の階調が高い部分についても発生し得るが、従来の多色分解印刷方法では、この問題について１画素を１次色のうち１色、２次色のうち１色、３次色１色の最多でも合計３色で構成することによって回避しようとしている。しかし、このような方法によれば、階調が高い部分についての混濁を適切に排除できるとは限らず、また再現すべき色を適切に表現できない場合も生じることから、十分な再現性を得ることができないことがあった。
このため、デザインの図柄によって抽出する色を決定するとともに、十分な再現性を確保した上で、色の混濁を排除可能とすることが望ましい。
【０００９】
本発明は、上記の事情にかんがみなされたものであり、画像データを明度成分と色相成分に分離し、色相成分を色相環における特色に分解して、特色製版用データを作成することにより、補色同士の掛け合わせを排除し、連続階調画像の印刷においても高精細で滑らかな印刷を可能とする多色分解装置、多色分解方法、多色分解プログラム、及び多色分解製版システムの提供を目的とする。
【課題を解決するための手段】
【００１０】
上記目的を達成するため、本発明の多色分解装置は、画像データを多色分解して製版用データを作成する多色分解装置であって、画像データを明度成分と色相成分に分離して、明度成分の特色製版用データを作成し、この特色製版用データと色相成分を記憶手段に記憶させる明度成分分離手段と、色相成分及び特色製版用データを記憶する記憶手段と、記憶手段から色相成分を読み出して色相分解し、色相成分の特色製版用データを作成して記憶手段に記憶させる色相分解手段とを備えた構成としてある。
【００１１】
多色分解装置をこのような構成にすれば、デジタル階調画像を明度成分と色相成分で区分けしてから特色抽出（色相分解）を行うことができる。
このため、補色同士が重ならない製版分解が可能になり、従来の分解方法に比較してよりウエット印刷に適した印刷用版を作成することが可能となる。
その結果、再現性及び安定性が高く、滑らかで高品質なウエット印刷を実現することが可能となる。
なお、色相分解とは、画像データの色相成分を、色相環を基準に所定の色相毎にバランス良く分離することを意味する。
【００１２】
また、本発明の多色分解装置は、明度成分分離手段が、画像データにおけるブラック成分を他の色成分にそれぞれ合成して、他の色成分毎に明度保有色成分を作成し、この明度保有色成分を記憶手段に記憶させるブラック成分合成手段と、全ての明度保有色成分からグレー成分を抽出してグレー版を作成し、このグレー版を明度成分の特色製版用データとして記憶手段に記憶させるグレー版作成手段と、各明度保有色成分からグレー版のグレー成分を削除して、それぞれに対応する明度非保有色成分を作成し、これらの明度非保有色成分を色相成分として記憶手段に記憶させるグレー成分除去手段とを備えた構成としてある。
【００１３】
多色分解装置をこのような構成にすれば、明度成分と色相成分の分離にあたって、画像データをＣＭＹＫ（順に、シアン，マゼンダ，イエロー，ブラック）により表わすことができるとすると、まずブラック成分をシアン，マゼンダ，イエローのそれぞれの成分に合成して、それぞれの明度保有色成分（Ｃ’，Ｍ’，Ｙ’）を作成することができる。
そして、全ての明度保有色成分からグレー成分を抽出してグレー版を作成するとともに、明度保有色成分からグレー版のグレー成分を消去して、それぞれの明度非保有色成分（新たなＣ，Ｍ，Ｙ）を作成することができる。
このようにして、画像データを明度成分（グレー成分）と、色相成分（明度非保有色成分）に分離することが可能となる。
【００１４】
また、本発明の多色分解装置は、色相分解手段が、各色相成分を乗算，加算，及び／又は反転することにより、特色成分を抽出し、この特色成分を特色製版用データとして記憶手段に記憶させる特色成分抽出手段を備えた構成としてある。
多色分解装置をこのような構成にすれば、分離された各色相成分について、乗算や加算、反転等を行うことによって、明度を除いた色相を特色に分解することが可能となる。
この際、各特色成分として、色相環を基準にバランスよく分解することができるほか、印刷対象とする画像のデザインが、ある特定の範囲の色相のみを表現するものである場合には、この特定の範囲の色相に分解するようにすることもできる。
【００１５】
このように明度を除いた色相を特色分解することで、原稿により適した色の再現が可能になるとともに、特色版同士の掛け合わせ量が少なく、特に補色同士の掛け合わせが全くないので、ウエット印刷などにより連続階調画像の印刷を行う場合であっても、滑らかで高精細な印刷を実現することが可能となる。
なお、「乗算」，「加算」，「反転」自体は、画像データの合成において一般に使用されている方法を使用する。その詳細な内容については、後述する。
【００１６】
また、本発明の多色分解装置は、色相分解手段が、色相成分を６色の特色に分解して、特色製版用データを作成する構成としてある。
多色分解装置をこのような構成にすれば、明度成分を除いた色相成分を６色に分解して特色製版を作成することができる。
このため、再現性の高い印刷を実現することが可能となる。
【００１７】
また、本発明の多色分解方法は、多色分解装置に、画像データを多色分解させて製版用データを作成させる多色分解方法であって、多色分解装置に備えられた明度成分分離部が、画像データを明度成分と色相成分に分離して、明度成分の特色製版用データを作成し、この特色製版用データと色相成分を記憶手段に記憶させ、多色分解装置に備えられた色相分解手段が、記憶手段から色相成分を読み出して色相分解し、色相成分の特色製版用データを作成して記憶手段に記憶させる方法としてある。
【００１８】
多色分解方法をこのような方法にすれば、画像データを明度成分と色相成分に分離して色相成分を特色分解することにより、特色同士の掛け合わせ量が少なく、補色同士が重なることのない印刷を実現することができる。
このため、ウエット印刷において連続階調画像を印刷する場合でも、高精細で滑らかな印刷結果を得ることが可能となる。
【００１９】
また、本発明の多色分解プログラムは、多色分解装置に、画像データを多色分解させて製版用データを作成させる多色分解プログラムであって、多色分解装置を、画像データを明度成分と色相成分に分離して、明度成分の特色製版用データを作成し、この特色製版用データと色相成分を記憶手段に記憶させる明度成分分離手段、色相成分及び特色製版用データを記憶する記憶手段、記憶手段から色相成分を読み出して色相分解し、色相成分の特色製版用データを作成して記憶手段に記憶させる色相分解手段として機能させる構成としてある。
【００２０】
多色分解プログラムをこのような構成にすれば、パーソナルコンピュータなどにより実現される多色分解装置に、画像データを明度成分と色相成分に分離させて、色相成分を特色分解させることができる。
このため、特にウェット印刷に優れた効果を発揮する高精細で滑らかな印刷結果を実現することが可能となる。
【００２１】
また、本発明の多色分解製版システムは、画像データを多色分解して印刷用版を作成する多色分解製版システムであって、画像データを明度成分と色相成分に分離して、明度成分の特色製版用データを作成し、この特色製版用データと色相成分を記憶手段に記憶させる明度成分分離手段，色相成分及び特色製版用データを記憶する記憶手段，記憶手段から色相成分を読み出して色相分解し、色相成分の特色製版用データを作成して記憶手段に記憶させる色相分解手段を備えた多色分解装置と、多色分解装置から明度成分の特色製版用データと色相成分の特色製版用データを入力して、印刷用版を作成する製版装置とを備えた構成としてある。
【００２２】
多色分解製版システムをこのような構成にすれば、スキャナーによって読取られ、多色分解装置に入力された画像データなどを、明度成分と色相成分に分離して、この色相成分を特色分解して印刷用製版を作成することができる。
このため、各特色版同士の掛け合わせ量が少なく、補色同士の掛け合わせが全くない印刷を実現でき、ウエット印刷における連続階調画像の印刷においても高精細で滑らかな印刷結果を得ることが可能となる。
【発明の効果】
【００２３】
本発明によれば、画像データを明度成分と色相成分に区分けしてから、色相成分について特色抽出を行うことができる。
このため、補色同士が重ならない製版分解が可能になり、従来の分解方法に比較してよりウエット印刷に適した印刷用版を作成することが可能となる。
また、画像データに応じた特色抽出を行うことで、多様な印刷機の特性にマッチした印刷用版を作成することができ、連続階調画像についても再現性及び安定性が高く、滑らかで高品質なウエット印刷を実現することが可能となる。
【発明を実施するための最良の形態】
【００２４】
［多色分解製版システム］
以下、本発明に係る多色分解製版システムの好ましい実施形態について、図面を参照しつつ説明する。
なお、以下の実施形態に示す本発明の多色分解製版システムにおける多色分解装置は、多色分解プログラムに制御されたコンピュータとして動作するようになっている。このコンピュータにおけるＣＰＵは、多色分解プログラムにもとづいて、コンピュータの各構成要素に指令を送り、多色分解装置の動作に必要となる所定の処理、例えば、明度成分と色相成分の分解処理や色相分解処理等を行わせる。このように、本発明の多色分解装置における各処理，動作は、多色分解プログラムとコンピュータとが協働した具体的手段により実現できるものである。
【００２５】
多色分解プログラムは予めＲＯＭ，ＲＡＭ等の記録媒体に格納され、コンピュータに実装された記録媒体から当該コンピュータに多色分解プログラムを読み込ませて実行されるが、例えば通信回線を介してコンピュータに読み込ませることもできる。
また、多色分解プログラムを格納する記録媒体は、例えば半導体メモリ，磁気ディスク，光ディスク、その他任意のコンピュータで読取り可能な任意の記録手段により構成できる。
【００２６】
まず、本発明の一実施形態の構成について、図１及び図２を参照して説明する。図１は、本実施形態の多色分解製版システムの構成を示すブロック図である。図２は、同システムにおける多色分解装置の構成を示すブロック図である。
図１に示すように、本実施形態の多色分解製版システムは、光学的読取装置１０，多色分解装置２０，製版装置３０を有している。
【００２７】
［光学的読取装置１０］
光学的読取装置１０は、原稿のデジタル階調画像を作成する。この光学的読取装置１０としては、例えばスキャナー等を使用することができる。原稿が紙原稿やフィルム原稿の場合は、このような光学的読取装置１０により読取って、作成された画像データを多色分解装置２０に出力するが、原稿が予めデジタルデータで作成されている場合は、光学的読取装置１０によらず、直接多色分解装置２０に入力して使用することができる。
本実施形態において、光学的読取装置１０により作成された画像データは、ＣＭＹＫ（シアン，マゼンダ，イエロー，ブラック）の４色で構成されているものとしている。また、以下の説明における「Ｃ」「Ｍ」「Ｙ」「Ｋ」等は、画像データのうち、それぞれの色成分毎のデータを意味している。
【００２８】
［多色分解装置２０］
多色分解装置２０は、入力した画像データを明度成分と色相成分に分解するとともに、色相成分を特色分解して、製版用データを作成する。
この多色分解装置２０は、図１に示すように明度成分分離手段２１ａ，色相分解手段２１ｂを備えた処理手段２１と、記憶手段２２を有している。この処理手段２１は、多色分解装置２０のＣＰＵと、多色分解装置２０において多色分解プログラムが展開されたメモリ等により構成される。また、記憶手段２２は、多色分解装置２０におけるメモリやハードディスクなどの記憶装置により構成される。
［明度成分分離手段２１ａ］
明度成分分離手段２１ａは、入力した画像データを明度成分と色相成分に分解する装置であり、図２に示すように、ブラック成分合成手段２１ａ−１，グレー版作成手段２１ａ−２，グレー成分除去手段２１ａ−３，分離ファイル作成手段２１ａ−４を有している。
【００２９】
ブラック成分合成手段２１ａ−１は、ＣＭＹＫで表現された画像データをＣＭＹによる表現に変換する。このＣＭＹＫで表現された画像データは、光学的読取装置１０から入力され、入出力部２３を介して記憶手段２２におけるＣＭＹＫ記憶手段２２−１に記憶される。そして、ブラック成分合成手段２１ａ−１は、この画像データをＣＭＹＫ記憶手段２２−１から読み出して変換処理を実行する。また、ブラック成分合成手段２１ａ−１は、変換した画像データを記憶手段２２におけるＣ’Ｍ’Ｙ’記憶手段２２−２に記憶させる。
【００３０】
光学的読取装置１０から入力した画像データは、ＣＭＹＫで表現されているため、画像データの明度は、ブラック成分とＣＭＹの合計階調％の高い部分の２つにより表現されていると考えることができる。本発明では、これらの明度成分をＣＭＹＫによる表現から除去することにより、画像データを明度成分と色相成分に分離して特色分解を行うことで、色の混濁の発生を排除することを可能としている。
【００３１】
このため、ブラック成分合成手段２１ａ−１は、下記の処理を実行する。なお、以下の説明において、「乗算」「加算」「反転」は、それぞれ次の処理を意味している。
「乗算」  ２つのデータを合成して、階調の合成％が１００％を超える部分は１００％とする。例えば、Ａが５０％、Ｂが３０％の場合、ＡとＢの乗算は８０％、Ａが５０％、Ｂが７０％の場合、ＡとＢの乗算は１００％となる。
「加算」  ２つのデータを合成して、階調の合成％から１００％を引いた値で構成する。例えば、Ａが５０％、Ｂが３０％の場合、ＡとＢの加算は０％、Ａが５０％、Ｂが７０％の場合、ＡとＢの加算は、２０％となる。
「反転」  階調の反転であり、０％→１００％、５０％→５０％、１００％→０％となる。
【００３２】
＜ブラック成分の合成＞
（１）ＣとＫを乗算で合成し、Ｃ’を作成する。
（２）ＭとＫを乗算で合成し、Ｍ’を作成する。
（３）ＹとＫを乗算で合成し、Ｙ’を作成する。
これによって、画像データの見た目の再現は、ＣＭＹＫ≒Ｃ’Ｍ’Ｙ’となり、ブラック成分Ｋを使用することなく、明度を表現することが可能となっている。なお、（１）〜（３）の順序は入れ替えてもかまわない。
【００３３】
グレー版作成手段２１ａ−２は、画像データにおける明度成分を表現するグレー版を作成する。このとき、グレー版作成手段２１ａ−２は、Ｃ’Ｍ’Ｙ’記憶手段２２−２からＣ’，Ｍ’，Ｙ’を読み込む。そして、作成した各データを記憶手段２２におけるα１・α２・α３・α４・α５・Ｇｒａｙ記憶手段２２−３に記憶させるとともに、次の処理のために必要なデータを読み込んで、最終的にグレー版を作成して記憶させる。
この場合、必要なグレー版は、ピクセル毎に存在するＣ’Ｍ’Ｙ’の階調％のうち、最小の階調％を抽出することで作成することができる。すなわち、減法混色においては、Ｃ，Ｍ，Ｙの３色を混ぜたものがＫ（ブラック）となることから、色相成分を含まないグレーを表現する場合、Ｃ，Ｍ，Ｙで同じ割合の成分が必要であり、３色の中で最小の階調％を基準として他の２色を同じ階調％で抽出することにより実現している。
【００３４】
＜グレー版の作成＞
そこで、グレー版作成手段２１ａ−２は、以下の処理を実行する。
（４）Ｃ’と、「Ｍ’を反転したもの」を加算で合成し、α１を作成する。
（５）α１をレベル２５５で二階調化する。このとき、階調が０％の部分は０％で、それ以外の部分は全て１００％とする。
これにより、α１は、０％と１００％だけで表現される。また、α１の１００％の部分は、Ｃ’のトーンがＭ’のトーンより高く、α１の０％の部分は逆にＭ’のトーンが高くなる。
【００３５】
（６）α１をコピーして反転し、α２を作成する。
（７）「Ｃ’を反転したもの」とα１を乗算で合成し、α３を作成する。
（８）「Ｍ’を反転したもの」とα２を乗算で合成し、α４を作成する。
（９）「α３を反転したもの」と「α４を反転したもの」を乗算で合成し、α５を作成する。
これによって、作成されるα５は、ピクセル毎にあるＣ’，Ｍ’の階調％のうち、最小の％を抽出していることになる。
【００３６】
（１０）α５とＹ’に対して、（４）〜（９）の処理を行う。
これによって、ピクセル毎にあるＣ’，Ｍ’，Ｙ’の階調％のうち、最小の％を抽出したグレー版を作成することができる。このグレー版を以下、「Ｇｒａｙ」と称する。
なお、グレー版の作成において、まずＣ’，Ｍ’の最小の階調％を抽出した後に、Ｙ’の最小の階調％を抽出しているが、Ｃ’，Ｍ’，Ｙ’からの最小の階調％の抽出順序については任意に変更してかまわない。
【００３７】
グレー成分除去手段２１ａ−３は、ＣＭＹからグレー成分を削除して、色相成分のみを有するＣＭＹ版を作成する。これによって、ＣＭＹの重なっている部分については、Ｇｒａｙだけで表現することになる。
このとき、グレー成分除去手段２１ａ−３は、Ｃ’Ｍ’Ｙ’記憶手段２２−２からＣ’Ｍ’Ｙ’を、α１・α２・α３・α４・α５・Ｇｒａｙ記憶手段２２−３からＧｒａｙを読み出し、色相成分のみを有するデータを作成して記憶手段２２におけるα６・α７・α８記憶手段２２−４に記憶させる。
【００３８】
＜グレー成分の除去＞
このとき、グレー成分除去手段２１ａ−３は、以下の処理を実行する。
（１１）Ｃ’と「Ｇｒａｙを反転したもの」を加算で合成して、α６を作成する。
（１２）Ｍ’と「Ｇｒａｙを反転したもの」を加算で合成して、α７を作成する。
（１３）Ｙ’と「Ｇｒａｙを反転したもの」を加算で合成して、α８を作成する。
これによって、画像データの明度成分をＧｒａｙで、色相成分をα６〜α８により表現したデータが完成する。
【００３９】
＜分離ファイルの作成＞
次に、分離ファイル作成手段２１ａ−４は、明度成分をＶＡＬＵＥ（明度）ファイルとして、記憶手段２２におけるＶＡＬＵＥ記憶手段２２−５に記憶させ、色相成分をＨＵＥ（色相）ファイルとして、記憶手段２２におけるＨＵＥ記憶手段２２−６に記憶させる。
このとき、分離ファイル作成手段２１ａ−４は、ＧｒａｙをＫ版として、ＶＡＬＵＥ記憶手段２２−５に記憶させるとともに、α６をＣ版、α７をＭ版、α８をＹ版として、ＨＵＥ記憶手段２２−６に記憶させる。
【００４０】
［色相分解手段２１ｂ］
色相分解手段２１ｂは、色相成分を有するＨＵＥファイルにおけるＣＭＹ版データを色相分解することにより、特色成分の抽出を行うものであり、図２に示すように、イエロー成分抽出手段２１ｂ−１，グリーン成分抽出手段２１ｂ−２，シアン成分抽出手段２１ｂ−３，ブルー成分抽出手段２１ｂ−４，マゼンダ成分抽出手段２１ｂ−５，レッド成分抽出手段２１ｂ−６を有している。本実施形態において、色相分解手段２１ｂは、色相環を基準にバランス良くＣＭＹ版データを６色の特色に分解して、特色製版用データを分離し抽出している。
【００４１】
＜イエロー成分の抽出＞
イエロー成分抽出手段２１ｂ−１は、ＨＵＥ記憶手段２２−６からＨＵＥファイルを読み出して、イエロー成分を抽出し、α９・α１０（Ｙ２）記憶手段２２−７に記憶させる。
このとき、イエロー成分抽出手段２１ｂ−１は、この抽出にあたって合成されるデータをα９・α１０（Ｙ２）記憶手段２２−７に記憶させるとともに、次の処理に必要なデータを読み出し、イエロー成分データＹ２を作成して、α９・α１０（Ｙ２）記憶手段２２−７に記憶させる。
【００４２】
イエロー成分の抽出にあたり、イエロー成分抽出手段２１ｂ−１は、以下の処理を実行する。
（１４）ＣとＭを乗算で合成して、α９を作成する。
（１５）α９を反転する。
（１６）Ｙとα９を加算で合成して、α１０を作成する。
このようにして得られたα１０をＹ２とする。これによって、イエロー成分（Ｙ２）の抽出が完了する。
【００４３】
＜グリーン成分の抽出＞
グリーン成分抽出手段２１ｂ−２は、ＨＵＥ記憶手段２２−６からＨＵＥファイルを読み出して、グリーン成分を抽出し、α１１・α１２・α１３・α１４・α１５（Ｇ２）記憶手段２２−７に記憶させる。
このとき、グリーン成分抽出手段２１ｂ−２は、この抽出にあたって合成されるデータをα１１・α１２・α１３・α１４・α１５（Ｇ２）記憶手段２２−７に記憶させるとともに、次の処理に必要なデータを読み出し、グリーン成分データＧ２を作成して、α１１・α１２・α１３・α１４・α１５（Ｇ２）記憶手段２２−７に記憶させる。
【００４４】
グリーン成分の抽出にあたり、グリーン成分抽出手段２１ｂ−２は、以下の処理を実行する。
（１７）Ｃを反転してα１１を作成する。
（１８）α１１とＹを加算で合成し、α１２を作成する。
（１９）α１２をレベル２５５で二階調化する。このとき、階調０％の部分は０％、それ以外の部分は全て１００％とする。
（２０）「Ｙを反転したもの」とα１２を乗算で合成し、α１３を作成する。
（２１）α１３を反転する。
（２２）α１２を反転する。
（２３）「Ｃを反転したもの」とα１２を乗算で合成し、α１４を作成する。
（２４）α１４を反転する。
（２５）α１３とα１４を乗算で合成し、α１５を作成する。
このようにして得られたα１５をＧ２とする。これによって、グリーン成分（Ｇ２）の抽出が完了する。
【００４５】
＜シアン成分の抽出＞
シアン成分抽出手段２１ｂ−３は、ＨＵＥ記憶手段２２−６からＨＵＥファイルを読み出して、シアン成分を抽出し、α１６・α１７（Ｃ２）記憶手段２２−９に記憶させる。
このとき、シアン成分抽出手段２１ｂ−３は、この抽出にあたって合成されるデータをα１６・α１７（Ｃ２）記憶手段２２−９に記憶させるとともに、次の処理に必要なデータを読み出し、シアン成分データＣ２を作成して、α１６・α１７（Ｃ２）記憶手段２２−９に記憶させる。
【００４６】
シアン成分の抽出にあたり、シアン成分抽出手段２１ｂ−３は、以下の処理を実行する。
（２６）ＭとＹを乗算で合成して、α１６を作成する。
（２７）α１６を反転する。
（２８）Ｃとα１６を加算で合成して、α１７を作成する。
このようにして得られたα１７をＣ２とする。これによって、シアン成分（Ｃ２）の抽出が完了する。
【００４７】
＜ブルー成分の抽出＞
ブルー成分抽出手段２１ｂ−４は、ＨＵＥ記憶手段２２−６からＨＵＥファイルを読み出して、ブルー成分を抽出し、α１８・α１９・α２０・α２１・α２２（Ｂ２）記憶手段２２−１０に記憶させる。
このとき、ブルー成分抽出手段２１ｂ−４は、この抽出にあたって合成されるデータをα１８・α１９・α２０・α２１・α２２（Ｂ２）記憶手段２２−１０に記憶させるとともに、次の処理に必要なデータを読み出し、ブルー成分データＢ２を作成して、α１８・α１９・α２０・α２１・α２２（Ｂ２）記憶手段２２−１０に記憶させる。
【００４８】
ブルー成分の抽出にあたり、ブルー成分抽出手段２１ｂ−４は、以下の処理を実行する。
（２９）Ｃを反転してα１８を作成する。
（３０）α１８とＭを加算で合成し、α１９を作成する。
（３１）α１９をレベル２５５で二階調化する。このとき、階調０％の部分は０％、それ以外の部分は全て１００％とする。
（３２）「Ｍを反転したもの」とα１９を乗算で合成し、α２０を作成する。
（３３）α２０を反転する。
（３４）α１９を反転する。
（３５）「Ｃを反転したもの」とα１９を乗算で合成し、α２１を作成する。
（３６）α２１を反転する。
（３７）α２０とα２１を乗算で合成し、α２２を作成する。
このようにして得られたα２２をＢ２とする。これによって、ブルー成分（Ｂ２）の抽出が完了する。
【００４９】
＜マゼンダ成分の抽出＞
マゼンダ成分抽出手段２１ｂ−５は、ＨＵＥ記憶手段２２−６からＨＵＥファイルを読み出して、マゼンダ成分を抽出し、α２３・α２４（Ｍ２）記憶手段２２−１１に記憶させる。
このとき、マゼンダ成分抽出手段２１ｂ−５は、この抽出にあたって合成されるデータをα２３・α２４（Ｍ２）記憶手段２２−１１に記憶させるとともに、次の処理に必要なデータを読み出し、マゼンダ成分データＭ２を作成して、α２３・α２４（Ｍ２）記憶手段２２−１１に記憶させる。
【００５０】
マゼンダ成分の抽出にあたり、マゼンダ成分抽出手段２１ｂ−５は、以下の処理を実行する。
（３８）ＣとＹを乗算で合成して、α２３を作成する。
（３９）α２３を反転する。
（４０）Ｍとα２３を加算で合成して、α２４を作成する。
このようにして得られたα２４をＭ２とする。これによって、マゼンダ成分（Ｍ２）の抽出が完了する。
【００５１】
＜レッド成分の抽出＞
レッド成分抽出手段２１ｂ−６は、ＨＵＥ記憶手段２２−６からＨＵＥファイルを読み出して、レッド成分を抽出し、α２５・α２６・α２７・α２８・α２９（Ｒ２）記憶手段２２−１２に記憶させる。
このとき、レッド成分抽出手段２１ｂ−６は、この抽出にあたって合成されるデータをα２５・α２６・α２７・α２８・α２９（Ｒ２）記憶手段２２−１２に記憶させるとともに、次の処理に必要なデータを読み出し、レッド成分データＲ２を作成して、α２５・α２６・α２７・α２８・α２９（Ｒ２）記憶手段２２−１２に記憶させる。
【００５２】
レッド成分の抽出にあたり、レッド成分抽出手段２１ｂ−６は、以下の処理を実行する。
（４１）Ｍを反転してα２５を作成する。
（４２）α２５とＹを加算で合成し、α２６を作成する。
（４３）α２６をレベル２５５で二階調化する。このとき、階調０％の部分は０％、それ以外の部分は全て１００％とする。
（４４）「Ｙを反転したもの」とα２６を乗算で合成し、α２７を作成する。
（４５）α２７を反転する。
（４６）α２６を反転する。
（４７）「Ｍを反転したもの」とα２６を乗算で合成し、α２８を作成する。
（４８）α２８を反転する。
（４９）α２７とα２８を乗算で合成し、α２９を作成する。
このようにして得られたα２９をＲ２とする。これによって、レッド成分（Ｒ２）の抽出が完了する。
【００５３】
なお、上記の処理を繰り返すことで、さらに多くの特色に分解することも可能である。例えば、上記グリーン成分の抽出において、ＣをＧ２に、ＹをＹ２に置換えることで、Ｇ２とＹ２の中間色である「黄緑」に特色分解することなどが可能である。
【００５４】
［製版装置３０］
製版装置３０は、多色分解装置２０により色相成分を分解して作成された特色製版用データ（Ｙ２，Ｇ２，Ｃ２，Ｂ２，Ｍ２，Ｒ２）と、明度成分として作成された特色製版用データ（Ｋ）を用いて作成されたネガフィルムにもとづき印刷用版を作成する。このネガフィルムの作成については、フィルム露光装置などを用いて行うことができる。
また、製版装置３０として、ネガフィルム等を介することなく、光や熱等を利用して、版材料に直接製版用データを出力することにより印刷用版を作成する製版装置を用いることも可能である。
【００５５】
次に、図３を参照して、本実施形態の多色分解製版システムにおける処理工程について説明する。図３は、本実施形態の多色分解製版システムにおける処理手順を示すフローチャートである。なお、同図において、実線により表示した部分は、多色分解装置２０によって実行される処理工程を示すものである。
まず、光学的読取装置１０によって、原稿が読取られて、そのデジタル階調画像データが多色分解装置２０に入力される（ステップ１０）。多色分解装置２０は、入力した画像データを記憶手段２２のＣＭＹＫ記憶手段２２−１に記憶する。
【００５６】
次に、多色分解装置２０における明度成分分離手段２１ａは、ＣＭＹＫ記憶手段２２−１に記憶された画像データの明度成分と色相成分を分離する（ステップ１１）。上述したように、作成された明度成分は、ＶＡＬＵＥファイルとしてＶＡＬＵＥ記憶手段２２−５に記憶され、色相成分は、ＨＵＥファイルとしてＨＵＥ記憶手段２２−６に記憶される。
次に、多色分解装置２０における色相分解手段２１ｂは、ＨＵＥ記憶手段２２−６に記憶された色相成分であるＣＭＹ版データを、６色に特色分解する（ステップ１２）。そして、特色分解により得られた各特色製版用データは、上述したように、それぞれＹ２，Ｇ２，Ｃ２，Ｂ２，Ｍ２，Ｒ２として、記憶手段２２に記憶される。
【００５７】
そして、多色分解装置２０は、明度成分として作成したＶＡＬＵＥファイルにおけるグレー版の特色製版用データと、色相成分として特色分解により作成した各特色製版用データを製版装置３０に出力する。
製版装置３０は、入力した特色製版用データにもとづきそれぞれのネガフィルムを作成する（ステップ１３）。本実施形態の場合、グレー，イエロー，グリーン，シアン，ブルー，マゼンダ，レッドのネガフィルムが作成されることになる。
さらに、製版装置３０は、作成したネガフィルムにもとづき印刷用版を作成する（ステップ１４）。
このようにして得られた印刷用版を用いて印刷を行った場合、特色同士の掛け合わせ量が少なく、特に補色同士の掛け合わせが全くないため、連続階調画像をウエット印刷する場合でも、滑らかで高精細な印刷結果を得ることが可能となる。
【００５８】
なお、本発明は以上の実施形態に限定されるものではなく、本発明の範囲内において、種々の変更実施が可能であることは言うまでもない。
例えば、本実施形態の多色分解装置における色相分解手段２１ｂは、上述した６色の分解のみならず、その他の成分を抽出する手段を備えることも勿論可能である。すなわち、原稿のデザインが、Ｙを中心としたものであれば、さらに「黄緑」「橙」などの成分に特色分解するなど適宜変更することが可能である。
【産業上の利用可能性】
【００５９】
本発明は、２ピース缶などの容器印刷における水なし平版や樹脂凸版などの版を用いたオフセット印刷に好適に適用することのできるものであるが、一般的な平版オフセット印刷や、グラビア印刷、凸版印刷、スクリーン印刷、電子写真印刷、インクジェット印刷など印刷方式に拘わらず適用可能なものであり、印刷の対象としても、プラスチック容器、金属シート、プラスチックフィルム、紙、布などに対し広く利用することができる。
【図面の簡単な説明】
【００６０】
【図１】本発明の一実施形態の多色分解製版システムの構成を示すブロック図である。
【図２】本発明の一実施形態の多色分解装置の構成を示すブロック図である。
【図３】本発明の一実施形態の多色分解製版システムにおける処理手順を示すフローチャートである。
【符号の説明】
【００６１】
１０  光学的読取装置
２０  多色分解装置
２０ａ  キーボード
２０ｂ  ディスプレイ
２１  処理手段
２１ａ  明度成分分離手段
２１ａ−１  ブラック成分合成手段
２１ａ−２  グレー版作成手段
２１ａ−３  グレー成分除去手段
２１ａ−４  分離ファイル作成手段
２１ｂ  色相分解手段
２１ｂ−１  イエロー成分抽出手段
２１ｂ−２  グリーン成分抽出手段
２１ｂ−３  シアン成分抽出手段
２１ｂ−４  ブルー成分抽出手段
２１ｂ−５  マゼンダ成分抽出手段
２１ｂ−６  レッド成分抽出手段
２２  記憶手段
２２−１  ＣＭＹＫ記憶手段
２２−２  Ｃ’Ｍ’Ｙ’記憶手段
２２−３  α１・α２・α３・α４・α５・Ｇｒａｙ記憶手段
２２−４  α６・α７・α８記憶手段
２２−５  ＶＡＬＵＥ記憶手段
２２−６  ＨＵＥ記憶手段
２２−７  α９・α１０（Ｙ２）記憶手段
２２−８  α１１・α１２・α１３・α１４・α１５（Ｇ２）記憶手段
２２−９  α１６・α１７（Ｃ２）記憶手段
２２−１０  α１８・α１９・α２０・α２１・α２２（Ｂ２）記憶手段
２２−１１  α２３・α２４（Ｍ２）記憶手段
２２−１２  α２５・α２６・α２７・α２８・α２９（Ｒ２）記憶手段
２３  入出力手段
３０  製版装置
【図１】
2006108896.tif 000003
【図２】
2006108896.tif 000004
【図３】
2006108896.tif 000005